(57)【要約】【課題】  構造が簡単であって組立作業も容易であり、クリップを軸筒にしっかりと回動可能に取り付けることができる筆記具のクリップ取付構造を提供する。【解決手段】  クリップ本体１１両側縁の折曲片１２の尾端側に係止孔１４を形成し、クリップ本体の尾端に内向きの第１係止段部１５を形成する。軸筒尾端側の取付壁２２に回動支軸２３を突設し、この取付壁の尾端に第２係止段部２４を形成する。クリップの係止孔に軸筒の回動支軸を係合し、取付壁の間の空間に、略Ｕ字状のばね部材３を押し込み、ばね部材のいずれかの端部を第１係止段部ないしは第２係止段部に係止してクリップの尾端部が拡開するように弾発する。クリップの係止孔より先端側に内向きのばね材抜け落ち防止壁１６を形成する。【選択図】  図４
2008230085.tif 000002
【特許請求の範囲】
【請求項１】
クリップ本体の軸線方向の両側縁を内側に折り曲げた一対の折曲片の尾端側にそれぞれ係止孔が形成されるとともに、クリップ本体の尾端に内向きの第１係止段部が形成されたクリップと、尾端側において軸線方向に立設された一対の取付壁にそれぞれ外向きに回動支軸が突設されるとともに、該取付壁の尾端に外向きの第２係止段部が形成された軸筒と、略Ｕ字状のばね部材からなり、
前記クリップの係止孔に該軸筒の回動支軸を係合し、該取付壁の間の空間に、略Ｕ字状のばね部材をその頂部を先端側にして押し込み、少なくとも略Ｕ字状のばね部材のいずれかの端部を該第１係止段部ないし第２係止段部に係止してクリップの尾端部が拡開するように弾発し、クリップ先端部の玉部が軸筒の表面に圧接するようにしたことを特徴とする筆記具のクリップ取付構造。
【請求項２】
前記クリップの係止孔より先端側に内向きのばね材抜け落ち防止壁を形成したことを特徴とする請求項１記載の筆記具のクリップ取付構造。
【発明の詳細な説明】
【技術分野】
【０００１】
本発明は筆記具のクリップ取付構造に関し、更にはクリップの尾端部を押すと大きく拡開する筆記具のクリップ取付構造に関する。
【背景技術】
【０００２】
従来、クリップの尾端部を押すとクリップの先端部が軸筒から離間して拡開する筆記具のクリップ取付構造として、例えば、軸筒の隆起部およびクリップの表面に一対の溝を形成し、軸筒の隆起部に形成された円弧状の凹部にクリップに形成された先端円弧状の突部を載せてこれを回動支点とするとともにＵ字状の線材からなるばねをこれらの溝にはめ込んでクリップを軸筒に支点を中心にして回動可能に取り付けたものが知られている。（特許文献１参照）
【特許文献１】特開２００６−１９２７２４号公報
【発明の開示】
【発明が解決しようとする課題】
【０００３】
前記のクリップ取付構造においては、クリップを軸筒に軸支しないので、その分、構造は簡単であるががたつきが生じやすくてクリップの保持が不安定である。また、クリップと軸筒に溝を形成するのに手間を要し、線材からなるばねをこれらの溝にはめ込む組立作業も手間を要する課題があった。
【０００４】
そこで本願発明は、構造が簡単であって組立作業も容易であり、クリップを軸筒にしっかりと回動可能に取り付けることができる筆記具のクリップ取付構造を提供することを目的とする。
【課題を解決するための手段】
【０００５】
かかる目的を達成するために、本発明の筆記具のクリップ取付構造は、クリップ本体の軸線方向の両側縁を内側に折り曲げた一対の折曲片の尾端側にそれぞれ係止孔を形成するとともに、クリップ本体の尾端に内向きの第１係止段部を形成しクリップと、尾端側において軸線方向に立設された一対の取付壁にそれぞれ外向きに回動支軸を突設するとともに、この取付壁の尾端に外向きの第２係止段部を形成した軸筒と、略Ｕ字状のばね部材で構成し、クリップの係止孔に軸筒の回動支軸を係合し、取付壁の間の空間に、略Ｕ字状のばね部材をその頂部を先端側にして押し込み、少なくともこのばね部材のいずれかの端部を第１係止段部ないしは第２係止段部に係止してクリップの尾端部が拡開するように弾発し、クリップ先端部の玉部が軸筒の表面に圧接するようにする。また、クリップの係止孔より先端側に内向きのばね材抜け落ち防止壁を形成するのがよい。
【発明の効果】
【０００６】
このように、クリップの係止孔に軸筒の回動支軸を係合するので、クリップががたつくことなくしっかりと軸筒に回動可能に取り付けることができ、また、ばね部材を取付壁の間の空間に押し込み、ばね部材のいずれかの先端を第１係止段部ないしは第２係止段部に係止することで組み立てることができるので、組立作業が容易である。そして、クリップの係止孔より先端側に内向きのばね材抜け落ち防止壁を形成すると、ばね部材に不用意な力が作用して先端側にずれてもばね部材の脱落を防止できる。
【発明を実施するための最良の形態】
【０００７】
以下に図面に基づいて発明を実施するための最良の形態を説明する。図１において、合成樹脂で成形されたクリップ１は、そのクリップ本体１１の軸線方向の両端部が内側に折り曲げられて一対の折曲片１２が形成されている。折曲片１２の先端は円弧状に成形されて玉部１３が形成されており、折曲片１２の尾端部には係止孔１４が穿設されている。また、クリップ本体１１の尾端は内側に小さく折り曲げられて第１係止段部１５が形成されており、係止孔１４より少し先端側に内向きのばね部材抜け落ち防止壁１６が形成されている。
【０００８】
軸筒２尾端の大径部２１には、軸線方向の一対の取付壁２２が形成されている。そして、取付壁２２には回転支軸２３が突設されており、取付壁２２の尾端部の大径部２１には小さな第２係止段部２４が外向きに形成されている。ここで、一対の取付壁２２の外面間の寸法はクリップ１の一対の折曲片１２の内面間の寸法にほぼ等しく、係止孔１４の内径は回転支軸２３の外径にほぼ等しくなっている。なお、軸筒２が筆記具のキャップであってもよく、本願における軸筒はキャップも含む広義のものである。
【０００９】
ねじりコイルばねのばね部材３は、図２に示すように、コイル部３１の両端から作用部３２，３３がＶ字状に伸び出しており、作用部３２，３３の角度を小さくすることにより弾発力が発生する。作用部３２，３３の先端３２ａ、３３ａはコイル部３１と平行に折り曲げられている。ばね部材３はねじりコイルばねに限られるものでなく、略Ｕ字状の板ばねのように作用部がＶ字状に伸び出し、一対の作用部間の角度を小さくすることにより弾発力が生じるものであればよい。
【００１０】
しかして、クリップ１尾端の折曲部１２を軸筒２の取付壁２２に合わせて押し込み、図３に示すように、回動支軸２３を係合孔１４に嵌め込んでクリップ１を軸筒２に対して回動可能にする。したがって、クリップ１は軸筒２にがたつくことなくしっかりと取り付けることができる。ここで、回動支軸２３の上側に傾斜部２３ａが形成されるとともに折曲部１２の先端内側にも傾斜部１２ａが形成されており、容易に回動支軸２３を係合孔１４に嵌め込めるようになっている。次に、取付壁２２間の空間２５にばね部材３を押し込む。つまり、コイル部３１を先頭にし、指先などで作用部３２，３３の角度を少し小さくして押し込む。そして、先端３２ａ、３３ａが第１係止段部１５および第２係止段部２４を通過すると指を離す。これにより作用部３２，３３の角度が拡大してクリップ１の尾端部が弾発されて拡開し、先端の玉部１３が軸筒２の表面に圧接する。
【００１１】
ばね部材３を空間２５に嵌め込むと、クリップ１が回動して尾端側が拡開するのクリップ１は軸筒２に対して尾端側が広がった状態で傾斜する。このため、ばね部材３は尾端側にずれるように力が働くが、第１係止段部１５および第２係止段部２４が形成されているので、ばね部材３の先端３２ａ、３３ａのいずれかが第１係止段部１５ないし第２係止段部２４に係止し、尾端側に抜け落ちることがない。もっとも、ばね部材３の先端３２ａ、３３ａが同時に第１係止段部１５および第２係止段部２４に係止するようにしてもよい。また、ばね部材３の左右は取付壁２２で囲われているので左右方向に抜け落ちることがない。また、落下時の衝撃などによりばね部材３が先端側にずれる可能性があるが、ばね部材抜け落ち防止壁１６を設けておくと、ばね部材３が先端側に抜け落ちることがない。そして、クリップ１の尾端部を押すと、図５に示すように、クリップ１の先端側が大きく拡開するパネルなどの厚い紙にも差し込むことができる。
【図面の簡単な説明】
【００１２】
【図１】（Ａ）はクリップの横断面図、（Ｂ）はクリップの縦断面図、（Ｃ）は軸筒の横断面図、（Ｄ）は軸筒の正面図である。
【図２】（Ａ）はねじりコイルばねの正面図、（Ｂ）は平面図である。
【図３】クリップを軸筒に組み付けた状態の断面図である。
【図４】本発明実施例の一部を切り欠いた正面図である。
【図５】クリップを拡開した状態の説明図である。
【符号の説明】
【００１３】
１      クリップ
１１      クリップ本体
１２      折曲片
１３      玉部
１４      係止孔
１５      第１係止段部
１６      ばね部材抜け落ち防止壁
２      軸筒
２１      大径部
２２      取付壁
２３      回動支軸
２４      第２係止段部
３      はね部材
３１      コイル部
３２      作用部
３３      作用部
【図１】
2008230085.tif 000003
【図２】
2008230085.tif 000004
【図３】
2008230085.tif 000005
【図４】
2008230085.tif 000006
【図５】
2008230085.tif 000007